(57)【特許請求の範囲】
【請求項１】
走行モータと、この走行モータの回転を減速する遊星減速機構と、車軸を形成するスピンドルと、このスピンドルにテーパ軸受を介して支持され、上記遊星減速機構によって回転するホイールとを備え、
上記遊星減速機構が、上記走行モータのシャフトの回転によって回転する太陽ギヤと、この太陽ギヤの回転に応じて上記ホイールを回転させる遊星ギヤと、この遊星ギヤを保持するキャリアとを含む走行装置において、
上記スピンドルと上記キャリアとを結合させるスプライン結合部と、上記スピンドルの端面及び上記キャリアに当接するとともに、上記テーパ軸受を押圧するリテーナとを備え、このリテーナに上記遊星減速機構の内部の上方に飛散した潤滑油を上記スプライン結合部に導く油路を形成したことを特徴とする走行装置。
【請求項２】
上記請求項１記載の発明において、
上記油路は、溝部から成ることを特徴とする走行装置。
【請求項３】
上記請求項１記載の発明において、
上記リテーナに、上記遊星減速機構の内部の上方に飛散した潤滑油を上記油路に案内する案内部を設けたことを特徴とする走行装置。
【請求項４】
上記請求項３記載の発明において、
上記案内部の外径は、上記テーパ軸受の内輪の外径よりも大きく設定され、上記案内部は、上記潤滑油を上記油路に案内する傾斜面を有するつば部から成ることを特徴とする走行装置。
【発明の詳細な説明】
【技術分野】
【０００１】
本発明は、鉱山用ダンプトラック等の車両に備えられ、走行モータと、この走行モータの回転を減速する遊星減速機構とを有する走行装置に関する。
【背景技術】
【０００２】
この種の従来技術として、特許文献１に示されるものがある。この従来技術は、走行モータと、この走行モータの回転を減速する遊星減速機構と、車軸を形成するスピンドルと、このスピンドルの外側に配置され、スピンドルとスプライン結合するハブと、このハブにテーパ軸受を介して支持され、遊星減速機構によって回転するホイールとを備えている。遊星減速機構は、走行モータのシャフトによって回転する太陽ギヤと、この太陽ギヤの回転に応じてホイールを回転させる遊星ギヤと、この遊星ギヤの回転軸を形成する段付ピンと、この段付ピンを支持し、上述のハブにスプライン結合するキャリアと、このキャリアに上述の段付ピンを固定するボルトとを備えている。このような構成を有する従来の走行装置は、鉱山用ダンプトラックのタイヤの回転駆動等に活用されている。
【特許文献１】米国特許出願公開２００４／００６５１６９号明細書
【発明の開示】
【発明が解決しようとする課題】
【０００３】
上述した従来技術において、スピンドルの強度を高めること、及び部品数の削減による製造費の節減等を考慮して、スピンドルと遊星減速機構のキャリアの双方にスプライン結合するハブを除く構成が要望されている。このようにハブを除いた構成にする場合には、スピンドルとキャリアを直接にスプライン結合させることが考えられる。しかし、このように構成したときには、ホイール等の回転部材の回転反力が、相互に微動可能な関係にあるスピンドルとキャリアの結合部分であるスプライン結合部に作用することになる。すなわち、スプライン結合部は回転反力を受けながら微動を繰り返す状態となり、損耗を生じて耐久性が劣化する懸念がある。したがって、このスプライン結合部の潤滑性の確保が問題となる。
【０００４】
本発明は、上述した従来技術における実状からなされたもので、その目的は、スピンドルと遊星減速機構のキャリアとのスプライン結合を実現させることができる走行装置を提供することにある。
【課題を解決するための手段】
【０００５】
この目的を達成するために、本発明に係る走行装置は、走行モータと、この走行モータの回転を減速する遊星減速機構と、車軸を形成するスピンドルと、このスピンドルにテーパ軸受を介して支持され、上記遊星減速機構によって回転するホイールとを備え、上記遊星減速機構が、上記走行モータのシャフトの回転によって回転する太陽ギヤと、この太陽ギヤの回転に応じて上記ホイールを回転させる遊星ギヤと、この遊星ギヤを保持するキャリアとを含む走行装置において、上記スピンドルと上記キャリアとを結合させるスプライン結合部と、上記スピンドルの端面及び上記キャリアに当接するとともに、上記テーパ軸受を押圧するリテーナとを備え、このリテーナに上記遊星減速機構の内部の上方に飛散した潤滑油を上記スプライン結合部に導く油路を形成したことを特徴としている。
【０００６】
このように構成した本発明は、スピンドルとキャリアの双方にスプライン結合されるハブを設けることを要せずに、ホイール等の回転体の回転反力を、キャリアを介してキャリアとスピンドルとのスプライン結合部に伝えるようにして、ホイールを回転させることができるので、それまでのハブの設置スペースを、スピンドルの径寸法を大きくさせるための空間として活用できる。これによりスピンドルの径寸法を大きくして強度を高めることができるとともに、ハブを除いたことにより部品数を削減できる。また、遊星減速機構の内部の潤滑油を、油路を介してスピンドルとキャリアのスプライン結合部に導くことができるので、このスプライン結合部の良好な潤滑性を確保できる。これによってキャリアを介してスプライン結合部に与えられる回転反力と、スピンドルとキャリア相互間の微動とに伴うスプライン結合部の損耗を防ぐことができる。また、リテーナによって遊星減速機構の内部の潤滑油の走行モータ側への大量の漏出を防ぐことができるとともに、リテーナに油路を形成することから潤滑が必要なスプラインへの油の供給に対して部品数の増加を抑えることができる。
【０００８】
また、本発明に係る走行装置は、上記発明において、上記油路は、溝部から成ることを特徴としている。このように構成した本発明は、リテーナに油路を容易に形成できる。
【０００９】
また、本発明に係る走行装置は、上記発明において、上記リテーナに、上記遊星減速機構の内部の上方に飛散した潤滑油を上記油路に案内する案内部を設けたことを特徴としている。このように構成した本発明は、案内部を介して遊星減速機構の内部の潤滑油を円滑、かつ確実に油路に導くことができる。
【００１０】
また、本発明に係る走行装置は、上記発明において、上記案内部の外径は、上記テーパ軸受の内輪の外径よりも大きく設定され、上記案内部は、上記潤滑油を上記油路に案内する傾斜面を有するつば部から成ることを特徴としている。このように構成した本発明は、つば部がリテーナの一部を形成するので、部品数の増加を招くことがない。また、案内部が傾斜面を有するつば部であることから、構成が簡単で、リテーナに容易に設けることができる。
【発明の効果】
【００１１】
本発明は、スピンドルと遊星減速機構のキャリアとを結合させるスプライン結合部と、スピンドルの端面及びキャリアに当接するとともに、テーパ軸受を押圧するリテーナとを備え、このリテーナに遊星減速機構の内部の上方に飛散した潤滑油をスプライン結合部に導く油路を形成したことから、従来のようにスピンドルとキャリアの双方にスプライン結合されるハブを要することなく、ホイール等の回転体の回転反力を、キャリアを介してキャリアとスピンドルとのスプライン結合部に伝えるようにして、ホイールを回転させることができるので、スピンドルの径寸法を大きくして強度を高め、より安定した構造を実現させることができる。また、従来に比べて部品数を削減でき、これによって製作費を節減できる。また、油路を介して導かれる遊星減速機構の内部の潤滑油によって、スピンドルとキャリアのスプライン結合部の良好な潤滑性を確保でき、このスプライン結合部の損耗を抑え、優れた耐久性を確保できる。また、リテーナによって遊星減速機構の内部の潤滑油の走行モータ側への大量の漏出を防ぐことができるとともに、リテーナに油路を形成することから潤滑が必要なスプラインへの油の供給に対して部品数の増加を抑えることができ、製作費を安くすることができる。
【発明を実施するための最良の形態】
【００１２】
以下，本発明に係る走行装置を実施するための最良の形態を図に基づいて説明する。
【００１３】
図１は本発明に係る走行装置の一実施形態が備えられる車両の一例として挙げた鉱山用ダンプトラックを示す側面図、図２は図１に示すダンプトラックの背面図である。
【００１４】
本実施形態に係る走行装置は、車両例えば図１，２に示す鉱山用ダンプトラックに備えられるものである。この鉱山用ダンプトラックは、シャーシ１と、このシャーシ１上に配置され、傾動可能な荷台２と、シャーシ１の前側位置に配置される運転室３と、複数のタイヤ５とを備えている。タイヤ５は、図２に示すように、本実施形態に係る走行装置４に連結され、この走行装置４によって与えられる回転力で回転駆動するようになっている。
【００１５】
図３は本発明に係る走行装置の一実施形態を示す要部断面図、図４は図３のＡ−Ａ断面図、図５は図３の要部拡大断面図である。
【００１６】
本実施形態に係る走行装置４は、図３に示すように、走行モータ６と、この走行モータ６の回転を減速する遊星減速機構７と、車軸を形成するスピンドル８と、このスピンドル８にテーパ軸受９を介して回転支持され、遊星減速機構７によって回転するホイール１０とを備えている。タイヤ５にはリム１１が一体に係着されており、リム１１と上述のホイール１０とが連結されている。
【００１７】
遊星減速機構７は、走行モータ６のシャフト１２に連結され、シャフト１２の回転に伴って回転する１段目の太陽ギヤ１３と、この太陽ギヤ１３に噛み合う複数の遊星ギヤ１４と、内周に遊星ギヤ１４が噛み合う歯部が形成されたリングギヤ１５と、遊星ギヤ１４それぞれの回転に伴って回転するギヤカップリング１６とを含んでいる。また、ギヤカップリング１６の回転に伴って回転する２段目の太陽ギヤ１７と、この太陽ギヤ１７と噛み合い、太陽ギヤ１７の回転に応じてホイール１０を回転させる複数の遊星ギヤ１８とを含んでいる。さらに、遊星ギヤ１８の回転軸を形成する複数の段付ピン２０と、これらの段付ピン２０と遊星ギヤ１８間にそれぞれ介在される複数のテーパ軸受１９と、段付ピン２０のそれぞれを保持するキャリア２１と、このキャリア２１に段付ピン２０のそれぞれを固定するボルト２２とを含んでいる。ボルト２２のそれぞれの頭部は、上述したホイール１０を回転支持するテーパ軸受９に対向するように配置してある。
【００１８】
また、スピンドル８と遊星減速機構７のキャリア２１とを結合させるスプライン結合部２３を設けてある。図５に示すように、キャリア２１の歯部２１ａは、スピンドル８の歯部８ａよりもわずかに遊星減速機構７側に突出するように設けてある。
【００１９】
また、スピンドル８の端面及びキャリア２１に当接するとともに、テーパ軸受９を押圧するリテーナ２４を備えている。
【００２０】
本実施形態は、段付ピン２０、キャリア２１及びボルト２２の部分に与えられる振動によるボルト２２の弛みによって、テーパ軸受９に近づく方向のボルト２２の移動を規制する規制部材を設けてある。
【００２１】
この規制部材は、例えば図５に示すように、ボルト２２のそれぞれの頭部２２ａと、テーパ軸受９との間に位置するようにリテーナ２４に設けられ、外径がテーパ軸受９の内輪の外径９ａよりも大きく設定されたつば部２４ａから成っている。
【００２２】
なお、図３に示すように、上述したギヤカップリング１６は、リテーナ２４が配置される側と反対側に位置する段付ピン２０のそれぞれの端面近傍に配置してあり、段付ピン２０、キャリア２１及びボルト２２の部分に与えられる振動によるボルト２２の弛みによって、リテーナ２４から離れる方向に段付ピン２０が移動する際のこの段付ピン２０の移動を規制する別の規制部材を成している。このギヤカップリング１６の段付ピン２０のそれぞれの端面に対向する位置には、例えば、段付ピン２０がこのギヤカップリング１６方向へ移動して、このギヤカップリング１６に接触した際のギヤカップリング１６と段付ピン２０の接触面積を小さくする円形穴２１ｂを形成してある。
【００２３】
また、本実施形態は、図４，５に示すように、スピンドル８とキャリア２１とを結合させるスプライン結合部２３に、遊星減速機構７の内部の上方に飛散した潤滑油を導く油路を設けてある。潤滑油は、遊星減速機構７の内部の例えば図３に示す潤滑油ライン３０まで収容されている。
【００２４】
上述した潤滑油を導く油路は、例えばリテーナ２４に形成してある。この油路は、リテーナ２４に形成された溝部２５から成っている。
【００２５】
また、リテーナ２４には、図５に示すように、遊星減速機構７の内部の潤滑油を油路、すなわち溝部２５に案内する案内部を設けてある。この案内部は、例えば傾斜面２４ａ１を有するつば部２４ａから成っている。
【００２６】
このように構成した本実施形態は、図３に示す走行モータ６の駆動によってシャフト１２が回転し、このシャフト１２によって１段目の太陽ギヤ１３が回転する。この太陽ギヤ１３の回転によって、遊星ギヤ１４のそれぞれがリングギヤ１９内を回転する。これらの遊星ギヤ１４の回転に伴ってギヤカップリング１６が回転し、このギヤカップリング１６の回転力が２段目の太陽ギヤ１７に伝えられる。この太陽ギヤ１７の回転によって、遊星ギヤ１８のそれぞれが段付ピン２０を中心に自転するとともに、ホイール１０を回転させる。このホイール１０の回転が、リム１１を介してタイヤ５に伝えられ、タイヤ５が回転駆動し、この走行装置４が備えられる鉱山用ダンプトラックが走行する。
【００２７】
このような走行が行なわれる間、段付ピン２０、キャリア２１及びボルト２２の部分に与えられる振動によって、ボルト２２に弛みが生じてもリテーナ２４のつば部２４ａによって、テーパ軸受９方向へのボルト２２の移動が規制されるので、ボルト２２の頭部２２ａがテーパ軸受９に接触しないように保持される。
【００２８】
また、上述の走行の間、図３に示す遊星減速機構７の内部の潤滑油が攪拌されて上方へ飛散し、必要箇所を潤滑するとともに、上方へ飛散した潤滑油が、図５に示すリテーナ２４のつば部２４ａの傾斜面２４ａ１に案内されて、リテーナ２４に形成した溝部２５に導かれ、さらにスプライン結合部２３を形成するキャリア２１の歯部２１ａに導かれる。これによって、スプライン結合部２３が潤滑される。
【００２９】
本実施形態によれば、スピンドル８とキャリア２１の双方にスプライン結合されるハブを設けることを要せずに、ホイール１０等の回転反力を、キャリア２１を介してキャリア２１とスピンドル８とのスプライン結合部２３に伝えるようにして、ホイール１０を回転させることができるので、それまでのハブの設置スペースを、スピンドル８の径寸法を大きくさせるための空間として活用できる。これによりスピンドル８の径寸法を大きくして強度を高め、より安定した構造を実現させることができる。また、ハブを除いたことにより部品数を削減でき、これによって製作費を節減できる。
【００３０】
また、規制部材すなわちリテーナ２４に設けたつば部２４ａによって、テーパ軸受９に近づく方向のボルト２２それぞれの移動を防止できる。これにより、ボルト２２の頭部２２ａとテーパ軸受９とが接触しないように保持でき、テーパ軸受９の損傷を防ぐことができ、優れた耐久性を確保できる。
【００３１】
また、リテーナ２４に設けたつば部２４ａによって、テーパ軸受９に近づく方向のボルト２２の移動を規制する規制部材を構成してあることから、部品数の増加を抑えることができ、製作費を安くすることに貢献する。
【００３２】
また、ボルト２２に弛みが生じた際、規制部材すなわちリテーナ２４のつば部２４ａによってボルト２２のテーパ軸受９に近づく方向の移動が規制されるが、このとき、ボルト２２の頭部２２ａとつば部２４ａの当接によるボルト２２に対する規制力が、ボルト２２を介して段付ピン２０に伝えられることによって、段付ピン２０がリテーナ２４から離れる方向に移動した場合には、ギヤカップリング１６が、リテーナ２４から離れる方向の段付ピン２０の移動を規制する別の規制部材を成すことから、段付ピン２０の移動がギヤカップリング１６によって規制される。したがって、段付ピン２０とボルト２２との螺合状態を保つことができ、これによって段付ピン２０からのボルト２２の離脱を確実に防止できる。なお、段付ピン２０がギヤカップリング１６に接触した際には、ギヤカップリング１６の回転に伴って異音が発生するので、この走行装置４が備えられる鉱山用ダンプトラックの運転手に、異常が生じていることを容易に気付かせることができる。
【００３３】
また、本実施形態は、遊星減速機構７の内部の潤滑油を、上述したように油路すなわち溝部２５を介してスプライン結合部２３に導くことができるので、このスプライン結合部２３の良好な潤滑性を確保できる。これによって、キャリア２１を介してスプライン結合部２３に与えられる回転反力と、スピンドル８とキャリア２１相互間の微動とに伴うスプライン結合部２３の損耗を防ぐことができ、優れた耐久性を確保できる。
【００３４】
また、リテーナ２４に溝部２５すなわち油路を形成することから、部品数の増加を抑えることができ、製作費を安くすることに貢献する。
【００３５】
また、リテーナ２４に、潤滑油を案内する案内部、すなわち傾斜面２４ａ１を有するつば部２４ａを設けたことから、傾斜面２４ａ１を介して遊星減速機構７の内部の潤滑油を円滑、かつ確実に溝部２５に導くことができ、スプライン結合部２３の潤滑性の確保に貢献する。
【００３６】
また、遊星減速機構７の内部の潤滑油を溝部２５に導く案内部を構成する傾斜面２４ａ１を有するつば部２４ａは、リテーナ２４の一部を形成するので部品数の増加を招くことがなく、製作費を安くすることに貢献する。また、案内部がつば部２４ａの傾斜面２４ａ１であることから、構成が簡単で、リテーナ２４に容易に設けることができる。
【００３７】
図６は本発明の別の実施形態を示す要部拡大断面図である。この別の実施形態は、リテーナ２４に、上述した実施形態におけるようなつば部２４ａは備えておらず、遊星減速機構７の内部の潤滑油を溝部２５に導く案内部を、リテーナ２４に形成した傾斜面２４ｂによって構成してある。その他の構成は、上述した図１〜５に示した実施形態と同等である。
【００３８】
このように構成した別の実施形態は、上述した実施形態のリテーナ２４に設けたつば部２４ａによる効果は得られないが、リテーナ２４の傾斜面２４ｂを介して遊星減速機構７の内部の潤滑油を円滑、かつ確実に溝部２５に導くことができ、これにより上述した図１〜５に示した実施形態と同様に、スピンドル８とキャリア２１のスプライン結合部２３の潤滑性の確保に貢献する。
【００３９】
なお、上述した各実施形態では、油路がリテーナ２４に形成した溝部２５から成っているが、本発明は、このようにリテーナ２４に溝部２５を形成することには限られない。例えばスピンドル８の端面に油路を構成する溝部を形成してもよい。また、このような溝部に代えて、リテーナ２４あるいはスピンドル８に、遊星減速機構７の内部の上方に飛散した潤滑油をスプライン結合部２３に導くキリ穴を設けた構成にしてもよい。
【図面の簡単な説明】
【００４０】
【図１】本発明に係る走行装置の一実施形態が備えられる車両の一例として挙げた鉱山用ダンプトラックを示す側面図である。
【図２】図１に示すダンプトラックの背面図である。
【図３】本発明に係る走行装置の一実施形態を示す要部断面図である。
【図４】図３のＡ−Ａ断面図である。
【図５】図３の要部拡大断面図である。
【図６】本発明の別の実施形態を示す要部拡大断面図である。
【符号の説明】
【００４１】
４    走行装置
６    走行モータ
７    遊星減速機構
８    スピンドル
８ａ  歯部
９    テーパ軸受
９ａ  内輪の外径
１０    ホイール
１２    シャフト
１３    太陽ギヤ
１８    遊星ギヤ
２１    キャリア
２１ａ  歯部
２３    スプライン結合部
２４    リテーナ
２４ａ  つば部（案内部）
２４ａ１  傾斜面
２４ｂ  傾斜面（案内部）
２５    溝部（油路）
３０    潤滑油ライン
【図１】
0004667478.tif 000002
【図２】
0004667478.tif 000003
【図３】
0004667478.tif 000004
【図４】
0004667478.tif 000005
【図５】
0004667478.tif 000006
【図６】
0004667478.tif 000007